(57)【要約】      （修正有）【課題】無線通信システムにおいて、ショート送信時間間隔（ＴＴＩ）に基づく復調参照信号（ＤＭＲＳ）通信のための解決策を提供する。【解決手段】ユーザ装置は、２又は複数のダウンリンクＴＴＩをサポートするダウンリンクサブフレームのダウンリンクＴＴＩにおいて、ダウンリンクＤＭＲＳを基地局から受信し、ダウンリンクＤＭＲＳが受信されるダウンリンクＴＴＩの後の少なくとも１つのダウンリンクＴＴＩはＤＭＲＳを送信しないように構成される。【選択図】図１２
2020115677.tif 000002
【特許請求の範囲】
【請求項１】
ユーザ装置による方法であって、
基地局から第１の情報を受信し、
ＰＤＳＣＨ（Ｐｈｙｓｉｃａｌ  Ｄｏｗｎｌｉｎｋ  Ｓｈａｒｅｄ  Ｃｈａｎｎｅｌ）のための第１のＤＭＲＳ（Ｄｅｍｏｄｕｌａｔｉｏｎ  Ｒｅｆｅｒｅｎｃｅ  Ｓｉｇｎａｌ）に加えて、ＰＤＳＣＨのための少なくとも１つの第２のＤＭＲＳが、スケジューリングユニット内の少なくとも１つの第２のポジションにおけるシンボルにマッピングされるか否かを前記第１の情報に基づいて決定し、
前記少なくとも１つの第２のポジションは前記第１の情報に基づいて決定され、
前記第１のＤＭＲＳは、前記第１の情報に関わらず、前記スケジューリングユニット内の第１のポジションにおける１つのシンボルにマッピングされ、
前記少なくとも１つの第２のＤＭＲＳがマッピングされる場合、前記第１のＤＭＲＳおよび前記少なくとも１つの第２のＤＭＲＳを受信し、
前記少なくとも１つの第２のＤＭＲＳがマッピングされない場合、前記スケジューリングユニットにおいて前記少なくとも１つの第２のＤＭＲＳを受信せずに、前記第１のＤＭＲＳを受信し、
前記スケジューリングユニット内では、前記第１のポジションおよび前記少なくとも１つの第２のポジションとは異なるポジションにおいて、前記第１のＤＭＲＳおよび前記少なくとも１つの第２のＤＭＲＳ以外の、ＰＤＳＣＨのためのＤＭＲＳはマッピングされず、
前記方法は、前記スケジューリングユニットの長さを可変に設定し得るシステムにおいて実行される、
方法。
【請求項２】
前記第１のポジションは、シンボル０またはシンボル３である、請求項１に記載の方法。
【請求項３】
さらに、前記第１のポジションを示す第２の情報を受信する、請求項１または２に記載の方法。
【請求項４】
前記第１のポジションは前記スケジューリングユニット内において、時間ドメインで、すべての前記少なくとも１つの第２のポジションよりも前に位置する、請求項１乃至３のいずれかに記載の方法。
【請求項５】
前記第１のポジションまたは前記少なくとも１つの第２のポジションにおいて、前記第１のＤＭＲＳまたは前記少なくとも１つの第２のＤＭＲＳは周波数ドメインにおいて、２つに１つのリソースエレメントにマッピングされ、
前記第１のポジションまたは前記少なくとも１つの第２のポジションにおいて前記第１のＤＭＲＳまたは前記第２のＤＭＲＳに使用されない残りのリソースエレメントは、ＰＤＳＣＨの受信に使用される、
請求項１乃至４のいずれかに記載の方法。
【請求項６】
前記第１のポジションまたは前記少なくとも１つの第２のポジションにおける時間長において、ＰＤＳＣＨは受信されない、請求項１乃至４のいずれかに記載の方法。
【請求項７】
前記第１のポジションまたは前記少なくとも１つの第２のポジションは前記スケジューリングユニット内において、時間ドメインで、ＰＤＳＣＨのリソースよりも前に位置する、請求項１乃至６のいずれかに記載の方法。
【請求項８】
前記第１の情報に基づいて、前記少なくとも１つの第２のポジションが、前記第１のポジションよりも多くのシンボルを有するか否かを決定する、請求項１乃至７のいずれかに記載の方法。
【請求項９】
基地局による方法であって、
ユーザ装置へ第１の情報を送信し、
ＰＤＳＣＨ（Ｐｈｙｓｉｃａｌ  Ｄｏｗｎｌｉｎｋ  Ｓｈａｒｅｄ  Ｃｈａｎｎｅｌ）のための第１のＤＭＲＳ（Ｄｅｍｏｄｕｌａｔｉｏｎ  Ｒｅｆｅｒｅｎｃｅ  Ｓｉｇｎａｌ）に加えて、ＰＤＳＣＨのための少なくとも１つの第２のＤＭＲＳを、スケジューリングユニット内の少なくとも１つの第２のポジションにおけるシンボルで送信するか否かを前記第１の情報に基づいて決定し、
前記少なくとも１つの第２のポジションは前記第１の情報に基づいて決定され、
前記第１のＤＭＲＳは、前記第１の情報に関わらず、前記スケジューリングユニット内の第１のポジションにおける１つのシンボルで送信され、
前記少なくとも１つの第２のＤＭＲＳが送信される場合、前記第１のＤＭＲＳおよび前記少なくとも１つの第２のＤＭＲＳを送信し、
前記少なくとも１つの第２のＤＭＲＳが送信されない場合、前記スケジューリングユニットにおいて前記少なくとも１つの第２のＤＭＲＳを送信せずに、前記第１のＤＭＲＳを送信し、
前記スケジューリングユニット内では、前記第１のポジションおよび前記少なくとも１つの第２のポジションとは異なるポジションにおいて、前記第１のＤＭＲＳおよび前記少なくとも１つの第２のＤＭＲＳ以外の、ＰＤＳＣＨのためのＤＭＲＳは送信されず、
前記方法は、前記スケジューリングユニットの長さを可変に設定し得るシステムにおいて実行される、
方法。
【請求項１０】
前記第１のポジションは、シンボル０またはシンボル３である、請求項９に記載の方法。
【請求項１１】
さらに、前記第１のポジションを示す第２の情報を送信する、請求項９または１０に記載の方法。
【請求項１２】
前記第１のポジションは前記スケジューリングユニット内において、時間ドメインで、すべての前記少なくとも１つの第２のポジションよりも前に位置する、請求項９乃至１１のいずれかに記載の方法。
【請求項１３】
前記第１のポジションまたは前記少なくとも１つの第２のポジションにおいて、前記第１のＤＭＲＳまたは前記少なくとも１つの第２のＤＭＲＳは周波数ドメインにおいて、２つに１つのリソースエレメントにマッピングされ、
前記第１のポジションまたは前記少なくとも１つの第２のポジションにおいて前記第１のＤＭＲＳまたは前記第２のＤＭＲＳに使用されない残りのリソースエレメントは、ＰＤＳＣＨの送信に使用される、
請求項９乃至１２のいずれかに記載の方法。
【請求項１４】
前記第１のポジションまたは前記少なくとも１つの第２のポジションにおける時間長において、ＰＤＳＣＨは送信されない、請求項９乃至１２のいずれかに記載の方法。
【請求項１５】
前記第１のポジションまたは前記少なくとも１つの第２のポジションは前記スケジューリングユニット内において、時間ドメインで、ＰＤＳＣＨのリソースよりも前に位置する、請求項９乃至１４のいずれかに記載の方法。
【請求項１６】
前記第１の情報に基づいて、前記少なくとも１つの第２のポジションが、前記第１のポジションよりも多くのシンボルを有するか否かを決定する、請求項９乃至１５のいずれかに記載の方法。
【発明の詳細な説明】
【技術分野】
【０００１】
本開示は、一般に無線通信に関し、特に通信システムにおける短縮された送信時間間隔（ＴＴＩ：Transmission Time Intervals）に基づく復調参照信号（ＤＭＲＳ：demodulation reference signal）送信のための方法及び装置に関する。
【背景技術】
【０００２】
本セクションは、本開示で説明される本発明の様々な実施形態の背景を提供することを目的としている。本明細書の説明は、追求することができる概念を含み得るが、必ずしも以前に着想又は追求されたものではない。したがって、本明細書で他に示されない限り、本セクションに記載されていることは、本開示の説明、及び／又は特許請求の範囲の先行技術ではなく、本セクションにおいて包含されているからといって先行技術であると認められるものではない。
【０００３】
第３世代パートナーシッププロジェクト（３ＧＰＰ：third generation partnership project）により開始されたロングタームエボリューション（ＬＴＥ：long-term evolution）システムは、現在、高データレート、低遅延、パケット最適化、及び改善されたシステム容量及びカバレッジを提供する新しい無線インタフェース及び無線ネットワークアーキテクチャーとして見なされている。ＬＴＥシステムでは、エボルブドユニバーサル地上無線アクセスネットワーク（Ｅ−ＵＴＲＡＮ：evolved universal terrestrial radio access network）は、複数のエボルブドノードＢ（ｅＮＢ：evolved Node-B）を含み、ユーザ装置（ＵＥ：user equipment）として称される複数の移動局と通信を行う。Ｅ−ＵＴＲＡＮの無線プロトコルスタックは、無線リソース制御レイヤ（ＲＲＣ：radio resource control）、パケットデータコンバージェンスプロトコルレイヤ（ＰＤＣＰ：packet data convergence protocol）、無線リンク制御レイヤ（ＲＬＣ：radio link control）、メディアアクセス制御レイヤ（ＭＡＣ：media access control）、及び物理レイヤ（ＰＨＹ：physical）を含んで与えられる。
【０００４】
３ＧＰＰ無線アクセスネットワーク（ＲＡＮ：radio access network）ＬＴＥシステムでは、ノードは、Ｅ−ＵＴＲＡＮ（Evolved Universal Terrestrial Radio Access Network）ノードＢ（一般に、エボルブドノードＢ、エンハンストノードＢ、ｅＮｏｄｅＢ、又はｅＮＢとも呼ばれる）及び無線ネットワーク制御装置（ＲＮＣ：Radio Network Controller）の組み合わせであり得る。それは、ユーザ装置（ＵＥ：user equipment）として知られている無線デバイスと通信を行う。ダウンリンク（ＤＬ：downlink）送信は、ノード（例えば、ｅＮｏｄｅＢ）から無線デバイス（例えば、ＵＥ）への通信であり得る。また、アップリンク（ＵＬ：uplink）送信は、無線デバイスからノードへの通信であり得る。
【０００５】
ＬＴＥでは、データは、ＵＥからｅＮｏｄｅＢに物理アップリンク共有チャネル（ＰＵＳＣＨ：physical uplink shared channel）を介して送信することができる。ＰＵＳＣＨは、スケジューリングされたデータトラフィック及び可能な制御シグナリングを搬送する。ＰＵＳＣＨは、無線フレームのサブフレームにおいて搬送することができる。さらに、データは、物理ダウンリンク共有チャネル（ＰＤＳＣＨ：physical downlink shared channel）を介してｅＮｏｄｅＢからＵＥに送信することができる。ＰＤＳＣＨはまた、１ｍｓのサブフレームにおいて搬送され、それぞれのＴＴＩにわたってダウンリンクスケジューリングされる。ＵＥは、アップリンク制御情報を搬送するために使用され得る物理アップリンク制御チャネル（ＰＵＣＣＨ：physical uplink control channel）を介して基地局に肯定応答（ＡＣＫ：acknowledgement）／非肯定応答（ＮＡＣＫ：non-acknowledgement）フィードバックを送信することができる。従来、１４個のシンボルを含む１ミリ秒（ｍｓ）のサブフレームは、ＤＬ及びＵＬ送信をスケジューリングするための最小時間単位である１ｍｓ  ＴＴＩのみを許容することができる。
【０００６】
復調参照信号（ＤＭＲＳ）は、ダウンリンク及びアップリンクチャネルの品質を決定するために、時分割複信（ＴＤＤ：Time Division Duplexing）又は／及び周波数分割複信（ＦＤＤ：Frequency Division Duplexing）無線通信システムにおいて使用される。
【０００７】
現在の３ＧＰＰ仕様によれば、ＤＭＲＳ信号は、その時点でＰＵＣＣＨ／ＰＵＳＣＨ／ＰＤＳＣＨチャネルにより構成される。図１Ａ〜図１Ｃは、既存のＬＴＥシステムのＰＵＣＣＨ、ＰＵＳＣＨ、ＰＤＳＣＨ構成におけるＤＭＲＳの例示的なパターンを概略的に示している。１４個のシンボルをサポートするすべてのＴＴＩにおいて、複数のシンボルが、ＤＭＲＳ送信に割り当てられる必要がある。
【０００８】
3GPP RAN#67 meetingでは、“ＬＴＥのレイテンシ低減技術の検討”に関するスタディアイテムが承認された。ＲＡＮ１については、ＴＴＩの短縮と処理時間の削減を少なくとも次の観点において検討され、文書化される必要がある：
・参照信号及び物理レイヤ制御信号への影響を考慮して、０．５ｍｓと１つのＯＦＤＭシンボルとの間のＴＴＩ長のスタディフィージビリティ及び性能が検討される；
・後方互換性（バックワードコンパチビリティ）は保持されなければならず、そのため、同じキャリアにおいて、プレＲｅｌ  １３  ＵＥの通常動作を可能にする。
【０００９】
それにもかかわらず、本検討では、“ＴＴＩ長を短縮することによって、ネットワークはＵＥをより速くスケジューリングすることができ、往復時間（ＲＴＴ：round trip time）を短縮することができる。ＲＴＴの短縮は、ＴＣＰスループットを増加させる。ＴＴＩ長の短縮はまた、スモールデータ送信に対するシステム容量を増加し得る”という結論となった。
【００１０】
したがって、無線通信システムにおいて、ショートＴＴＩに基づくＤＭＲＳ通信のための解決策を提供することが必要となる。
【発明の概要】
【００１１】
レイテンシ低減技術の観点から、１つのＴＴＩのシンボル数が低減されるため、ＤＭＲＳ信号が各ＴＴＩに導入される場合、ＤＭＲＳオーバーヘッドは、特に、１又は２シンボルを含むショートＴＴＩに対して考慮しなければならない。さらに、特に、連続的なスケジューリング又は高い周波数におけるショートＴＴＩに対して、チャネル状態は、あまり変化しない可能性がある。その意味では、制御情報又はデータを復調する際に、いくつかのＤＭＲＳが必要ではない場合があり得る。
【００１２】
上記の問題を解決するために、本開示にかかる１又は複数の方法および装置の実施形態は、短縮されたＴＴＩに基づくＤＭＲＳ通信のための解決策を提供することを目的とする。本開示の実施形態の他の特徴及び利点は、本開示の実施形態の原理を示す添付の図面と併せて読むことにより、特定の実施形態の以下の説明からも理解するであろう。
【００１３】
本開示の第１の態様によれば、無線通信システムにおいて動作する基地局による通信のための方法が提供される。前記方法は、２又は複数のアップリンク送信時間間隔（ＴＴＩ：transmission time interval）をサポートするアップリンクサブフレームのＴＴＩにおいて、アップリンク復調参照信号（ＤＭＲＳ：demodulation reference signal）を受信することを含む。前記アップリンクサブフレームによりサポートされる少なくとも１つのアップリンクＴＴＩは、アップリンクＤＭＲＳを有さずに（アップリンクＤＭＲＳ無しで）アップリンク制御情報、及び／又はアップリンクデータのみを送信するように構成される。
【００１４】
本開示の第２の態様によれば、無線通信システムにおいて動作する基地局による通信のための方法が提供される。前記方法は、２又は複数のＴＴＩをサポートするダウンリンクサブフレームのダウンリンクＴＴＩにおいて、ダウンリンクＤＭＲＳをユーザ装置に送信することを含む。前記ダウンリンクサブフレームによりサポートされる少なくとも１つのダウンリンクＴＴＩは、ダウンリンクＤＭＲＳを有さずに（ダウンリンクＤＭＲＳ無しで）ダウンリンク制御情報、及び／又はダウンリンクデータのみを送信するように構成される。
【００１５】
本開示の第３の態様によれば、無線通信システムにおいて動作するユーザ装置による通信のための方法が提供される。前記方法は、２又は複数のアップリンク送信時間間隔（ＴＴＩ：transmission time interval）をサポートするアップリンクサブフレームのアップリンクＴＴＩにおいて、アップリンク復調参照信号（ＤＭＲＳ：demodulation reference signal）を基地局に送信することを含む。前記アップリンクサブフレームにサポートされる少なくとも１つのアップリンクＴＴＩは、アップリンクＤＭＲＳを有さずにアップリンク制御情報、及び／又はアップリンクデータのみを送信するように構成される。
【００１６】
本開示の第４の態様によれば、無線通信システムにおいて動作するユーザ装置による通信のための方法が提供される。前記方法は、２又は複数のダウンリンクＴＴＩをサポートするダウンリンクサブフレームのダウンリンクＴＴＩにおいてダウンリンクＤＭＲＳを基地局から受信することを含む。前記ダウンリンクＤＭＲＳが受信される前記ダウンリンクＴＴＩの後の少なくとも１つのダウンリンクＴＴＩは、いずれのダウンリンクＤＭＲＳを送信しないように構成される。
【００１７】
本開示のさらなる態様によれば、基地局が提供される。前記基地局は、本開示の第１及び第２の態様において上述した機能を実行するように構成される送信部及び受信部を備える。
【００１８】
本開示のさらなる態様によれば、ユーザ装置が提供される。前記ユーザ装置は、本開示の第３及び第４の態様において上述した機能を事項するように構成される送信部及び受信部を備える。
【００１９】
本開示のさらなる態様によれば、基地局が提供される。前記基地局は、本開示の様々な実施形態のいずれかにかかる基地局による通信のための方法を実行するように構成される処理手段を備える。
【００２０】
本開示のさらなる態様によれば、ユーザ装置が提供される。前記ユーザ装置は、本開示の様々な実施形態のいずれかにかかるユーザ装置による通信のための方法を実行するように構成される処理手段を備える。
【図面の簡単な説明】
【００２１】
本発明の特徴と見なされる発明的特徴は、添付の特許請求の範囲に記載されている。しかし、本発明、その実装モード、他の目的、特徴及び利点は、添付の図面を参照して例示的な実施形態に関する以下の詳細な説明を読むことにより、より理解されるであろう。
【００２２】
【図１Ａ】図１Ａは、無線通信システムのためのＰＵＣＣＨで構成される例示的なＤＭＲＳパターンを概略的に示す。
【図１Ｂ】図１Ｂは、無線通信システムのためのＰＵＳＣＨで構成される例示的なＤＭＲＳパターンを概略的に示す。
【図１Ｃ】図１Ｃは、無線通信システムのためのＰＤＳＣＨで構成される例示的なＤＭＲＳパターンを概略的に示す。
【００２３】
【図２Ａ】図２Ａは、本開示の実施形態にかかる複数のショートＴＴＩに適用可能な例示的なＤＭＲＳ構造を概略的に示す図である。
【図２Ｂ】図２Ｂは、本開示の実施形態にかかる複数のショートＴＴＩに適用可能な例示的なＤＭＲＳ構造を概略的に示す図である。
【００２４】
【図３Ａ】図３Ａは、本開示の１又は複数の実施形態にかかる、候補ＤＭＲＳポジション及び固定ＤＭＲＳポジションを有する例示的なＤＭＲＳ構造を概略的に示す図である。
【図３Ｂ】図３Ｂは、本開示の１又は複数の実施形態にかかる、候補ＤＭＲＳポジション及び固定ＤＭＲＳポジションを有する例示的なＤＭＲＳ構造を概略的に示す図である。
【００２５】
【図４Ａ】図４Ａは、本開示の１又は複数の実施形態にかかる１シンボルベースのＴＴＩに適した例示的なＤＭＲＳ構造を概略的に示す図である。
【図４Ｂ】図４Ｂは、本開示の１又は複数の実施形態にかかる１シンボルベースのＴＴＩに適した例示的なＤＭＲＳ構造を概略的に示す図である。
【図４Ｃ】図４Ｃは、本開示の１又は複数の実施形態にかかる１シンボルベースのＴＴＩに適した例示的なＤＭＲＳ構造を概略的に示す図である。
【００２６】
【図５】図５は、本開示の１又は複数の実施形態にかかる基地局による通信のための方法を概略的に示す図である。
【００２７】
【図６】図６は、本開示の１又は複数の実施形態にかかるユーザ装置による通信のための方法を概略的に示す図である。
【００２８】
【図７Ａ】図７Ａは、本開示の１又は複数の実施形態にかかる、アップリンクＤＭＲＳを有する例示的なＵＬ及びＤＬサブフレームを概略的に示す図である。
【図７Ｂ】図７Ｂは、本開示の１又は複数の実施形態にかかる、アップリンクＤＭＲＳを有する例示的なＵＬ及びＤＬサブフレームを概略的に示す図である。
【図７Ｃ】図７Ｃは、本開示の１又は複数の実施形態にかかる、アップリンクＤＭＲＳを有する例示的なＵＬ及びＤＬサブフレームを概略的に示す図である。
【００２９】
【図８】図８は、本開示のさらなる実施形態にかかるアップリンクＤＭＲＳを有する例示的なＵＬ及びＤＬサブフレームを概略的に示す図である。
【００３０】
【図９】図９は、本開示の１又は複数の実施形態にかかるアップリンクＤＭＲＳに基づいてＰＵＣＣＨチャネルを復調するための例示的な方式を概略的に示す図である。
【００３１】
【図１０Ａ】図１０Ａは、本開示の１又は複数の実施形態にかかるアップリンクＤＭＲＳを有する例示的なＵＬ及びＤＬサブフレームを概略的に示す図である。
【図１０Ｂ】図１０Ｂは、本開示の１又は複数の実施形態にかかるアップリンクＤＭＲＳを有する例示的なＵＬ及びＤＬサブフレームを概略的に示す図である。
【図１０Ｃ】図１０Ｃは、本開示の１又は複数の実施形態にかかるアップリンクＤＭＲＳを有する例示的なＵＬ及びＤＬサブフレームを概略的に示す図である。
【００３２】
【図１１】図１１は、本開示のさらなる１又は複数の実施形態にかかる基地局による通信のための方法を概略的に示す図である。
【００３３】
【図１２】図１２は、本開示のさらなる１又は複数の実施形態にかかるユーザ装置による通信のための方法を概略的に示す図である。
【００３４】
【図１３Ａ】図１３Ａは、本開示のさらなる１又は複数の実施形態にかかるダウンリンクＤＭＲＳを有する例示的なＵＬ及びＤＬサブフレームを概略的に示す図である。
【図１３Ｂ】図１３Ｂは、本開示のさらなる１又は複数の実施形態にかかるダウンリンクＤＭＲＳを有する例示的なＵＬ及びＤＬサブフレームを概略的に示す図である。
【００３５】
【図１４】図１４は、本開示のさらなる１又は複数の実施形態にかかる基地局を概略的に示すブロック図である。
【００３６】
【図１５】図１５は、本開示のさらなる１又は複数の実施形態にかかるユーザ装置を概略的に示すブロック図である。
【発明を実施するための形態】
【００３７】
以下、本開示の実施形態を添付の図面を参照して説明する。以下の説明では、本開示をより包括的に理解するために、多くの特定の詳細が示されている。しかし、本発明の実装は、これらの詳細を有していなくてもよいことは当業者であれば明らかである。さらに、本発明は、ここに導入された特定の実施形態に限定されないことは理解すべきである。逆に、以下の特徴及び要素の任意の組み合わせは、それらが異なる実施形態を含むか否かにかかわらず、本発明を実装し、実施するために考慮されてもよい。例えば、説明を目的として、５Ｇセルラ通信システムの文脈で以下説明するが、当業者であれば、本開示の１又は複数の実施形態が、様々な他のタイプのセルラ通信システムにも適用することが出来ることは認識するであろう。したがって、以下の態様、特徴、実施形態、及び利点は、説明目的のためだけであって、特許請求の範囲において明示的に特定されない限り、添付の特許請求の範囲の要素又は限定として理解されるべきではない。
【００３８】
ユーザ装置（ＵＥ）は、アクセス端末、加入者ステーション、加入者ユニット、移動ステーション、遠隔ステーション、遠隔端末、ユーザ端末、ユーザエージェント、ユーザデバイス、ユーザステーション、もしくはいくつかの他の用語を備えてもよい。もしくは、ユーザ装置（ＵＥ）は、アクセス端末、加入者ステーション、加入者ユニット、移動ステーション、遠隔ステーション、遠隔端末、ユーザ端末、ユーザエージェント、ユーザデバイス、ユーザステーション、もしくはいくつかの他の用語として実装されてもよく、又は知られてもよい。
【００３９】
いくつかの実装では、ユーザ装置は、セルラフォン、コードレス電話、セッションイニシエーションプロトコル（ＳＩＰ：Session Initiation Protocol）電話、パーソナルデジタルアシスタント（ＰＤＡ：personal digital assistant）、無線接続能力を有するハンドヘルドデバイス、ステーション（ＳＴＡ：Station）、又は無線モデムと接続された、いくつかの他の適切処理デバイスを含んでもよい。したがって、本明細書で教示される１又は複数の態様は、電話（例えば、セルラ電話又はスマートフォン）、コンピュータ（例えば、ラップトップ）、ポータブル通信デバイス、ポータブルコンピューティングデバイス（例えば、パーソナルデータアシスタント）、エンターテインメントデバイス（例えば、音楽又はビデオデバイス、又は衛星ラジオ）、グローバルポジショニングシステムデバイス、又は無線もしくは有線モデムを介して通信するように構成された任意の他の適切なデバイスに組み込まれてもよい。いくつかの態様では、ノードは、無線ノードである。そのような無線ノードは、有線もしくは無線通信リンクを介して、例えばネットワーク（例えば、インターネット又はセルラネットワークなどのワイドエリアネットワーク）のための接続性、又は当該ネットワークに接続性を提供してもよい。
【００４０】
基地局（ＢＳ）は、ＮｏｄｅＢ、無線ネットワーク制御装置（ＲＮＣ：Radio Network Controller）、ｅＮｏｄｅＢ（ｅＮＢ）、基地局制御装置（ＢＳＣ：Base Station Controller）、ベーストランシーバステーション（ＢＴＳ：Base Transceiver Station）、トランシーバ機能（ＴＦ：Transceiver Function）、無線ルータ、無線トランシーバ、基本サービスセット（ＢＳＳ：Basic Service Set）、拡張サービスセット（ＥＳＳ：Extended Service Set）、無線基地局（ＲＢＳ：Radio Base Station）、又はいくつかの他の用語を含んでもよい。もしくは、基地局（ＢＳ）は、ＮｏｄｅＢ、無線ネットワーク制御装置（ＲＮＣ）、ｅＮｏｄｅＢ（ｅＮＢ）、基地局制御装置（ＢＳＣ）、ベーストランシーバステーション（ＢＴＳ）、トランシーバ機能（ＴＦ）、無線ルータ、無線トランシーバ、基本サービスセット（ＢＳＳ）、拡張サービスセット（ＥＳＳ）、無線基地局（ＲＢＳ）、又はいくつかの他の用語として実装されてもよく、又は知られてもよい。
【００４１】
上述したように、レイテンシを低減するために、１つのＵＬ／ＤＬ  ＴＴＩのシンボル数を減らす必要がある。しかし、既存のＬＴＥ技術では、ＤＭＲＳは、各ＴＴＩに対して導入され、少なくとも１つのシンボルを占有する。ＤＭＲＳオーバーヘッドは、特に、ショートＴＴＩが１又は２シンボルを含むという条件では、時間及び周波数領域の両方において無線リソースを著しく消費する。さらに、チャネル状態は、特に連続的なスケジューリングに対して、又は高い周波数では、ショートＴＴＩの間であまり変化しないことがあり得る。その意味では、各ＴＴＩにおいて、様々な物理チャネルと共にＤＭＲＳを設定することは、無線リソース効率の問題を引き起こし得る。
【００４２】
上記問題を解決するために、本開示にかかる１又は複数の方法及び装置の実施形態は、短縮されたＴＴＩに基づくＤＭＲＳ通信のための解決策を提供することを目的とする。本解決策では、ＵＬ／ＤＬ  ＤＭＲＳは、物理アップリンク共有チャネル（ＰＵＳＣＨ）、物理アップリンク制御チャネル（ＰＵＣＣＨ）、物理ダウンリンク共有チャネル（ＰＤＳＣＨ）等のそれぞれの物理チャネルの送信から独立して送信することができる。換言すると、ＤＭＲＳの送信は、それぞれの物理チャネルの送信を制御する手段と別個の手段により制御される。本開示の様々な実施形態によれば、ＤＭＲＳは、動的に送信されるようにトリガされてもよい。本開示の追加的又は代替的な実施形態によれば、ＤＭＲＳの送信は、上位レイヤシグナリングで構成され得る、１又は複数の周期的パターンで設定される。ＤＭＲＳ送信を独立して制御する手段は、任意の適切な組み合わせ方法で適用することができる。結果として、例えば、いくつかのＴＴＩは、ショートＴＴＩにおいてＤＭＲＳ無しで送信されてもよく、いくつかのＴＴＩは、候補ＤＭＲＳポジションにおいて追加のＤＭＲＳを送信するように制御されてもよい。
【００４３】
図２Ａ及び２Ｂは、本開示の実施形態にかかる複数のショートＴＴＩに適用可能な例示的なＤＭＲＳ構造を概略的に示す図である。説明を簡潔にする目的のために、図２Ａ及び２Ｂを参照して説明するＴＴＩは、２つ又は複数のシンボルを含むものと仮定する。
【００４４】
図２Ａは、ＤＭＲＳがいくつかのＴＴＩにおいてのみ送信されるように制御され得るが、いくつかの他のＴＴＩではＤＭＲＳ送信が行われないサブフレーム構造を示す。
【００４５】
破線のブロック２０１には、ＤＭＲＳ送信を伴うＴＴＩの例示的な構造が図示されている。一例では、ＤＭＲＳは、１つのＴＴＩの１又は複数シンボルを占有してもよく、当該ＴＴＩの残りのシンボルは、このＴＴＩにおいて現在スケジューリングされる物理チャネルのタイプに応じて、データ又は制御情報を送信するために使用することが出来る。別の例では、ＤＭＲＳは、例えば、１つのＴＴＩにおいて、１又は複数のシンボルの周波数リソースの一部を占有する等、時間及び／又は周波数領域において疎ら（スパース：sparse）であってもよい。当該ＴＴＩの残りのシンボルは、このＴＴＩにおいて現在スケジューリングされている物理チャネルの特定のタイプに応じて、データ又は制御情報を送信するために使用することができる。
【００４６】
破線のブロック２０２は、ＤＭＲＳが無いＴＴＩの例示的な構造を提供する。１つのＴＴＩにおいてＤＭＲＳ送信がない場合、一例では、ＤＭＲＳポジションは、当該ＴＴＩの残りのシンボルがデータ又は制御情報により占有されている場合でも、予約されてもよいし、空のままであってもよい。この例では、これらの予め定義された無線リソースは、ＤＭＲＳを送信するために専用であり、データ又は制御情報を送信するために使用することができない。このＴＴＩにおいて実際にＤＭＲＳが送信されない場合、データ又は制御情報がＤＭＲＳ送信のためのこれらの無線リソースを使用できるとすると、より効率的である。その例では、ＴＴＩの全てのシンボルをデータ又は制御情報送信に割り当てることができる。ショートＴＴＩのためのＤＭＲＳ構造は、上記のリソース予約モード及びリソース共有モードの任意の適切な組み合わせのやり方で設計されてもよいことを理解されたい。
【００４７】
図２Ｂは、いくつかのＴＴＩにおいて、追加のＤＭＲＳ送信が他の通常のＴＴＩよりもアクティベートされ得るサブフレーム構造を示す。
【００４８】
図２Ｂに示すように、候補ＤＭＲＳポジションは、ＴＴＩにおいて予め定義されてもよい。ＤＭＲＳ送信が上位レイヤシグナリングによりトリガされるか又は設定される場合、１又は複数のＤＭＲＳポジションは、トリガ情報又は上位レイヤシグナリングに基づいて、これらの候補ＤＭＲＳポジションから選択され得る。後方互換性を目的として、新しいＤＭＲＳ構造は、（図１Ａ〜１Ｃを参照して説明したように）既存のＬＴＥで指定された固定ＤＭＲＳポジションをサポートしてもよい。追加のＤＭＲＳが上位レイヤシグナリングによりトリガされるか又は設定される場合、固定ＤＭＲＳポジションの他に、追加のＤＭＲＳが必要に応じて送信されてもよい。
【００４９】
図３Ａ及び３Ｂは、本開示の１又は複数の実施形態にかかる、候補ＤＭＲＳポジション及び固定ＤＭＲＳポジションを有する例示的なＤＭＲＳ構造の概略を示す図である。
【００５０】
いくつかの実装では、周波数オフセット推定が必要な場合、１つの追加のＤＭＲＳは、（トリガされることにより、又は周期的に）設定することができる。そうでなければ、元の固定ＤＭＲＳのみが送信される（履歴周波数オフセットを再利用できる）。図３Ａは、レガシーＤＭＲＳポジション等の固定ＤＭＲＳポジションを有するサブフレーム構造である。図３Ａに示す様に、１つのＴＴＩは４シンボルで構成され、固定ＤＭＲＳの１シンボルは２つの連続するＴＴＩで共有される。追加のＤＭＲＳポジションは、各ＴＴＩにおいて配置されてもよい。例えば、指定されたトリガによるトリガ、又は上位レイヤシグナリングにより設定される周期的な方法での送信等の別個の制御手段により、ＤＭＲＳ送信は、いくつかの追加のＤＭＲＳポジションにおいてアクティベートしてもよい。例えば、図３Ｂに示すように、最初のＴＴＩにおける追加のＤＭＲＳポジションは、ＤＭＲＳを送信するように構成される。図示されている次のＴＴＩでは、ＤＭＲＳがこれらのＴＴＩの固定ポジションにおいてのみ送信されるように、追加のＤＭＲＳポジションにおいてＤＭＲＳ送信がされないように構成される。
【００５１】
図４Ａ〜４Ｃは、本開示の１又は複数の実施形態にかかる１シンボルベースのＴＴＩに適した例示的なＤＭＲＳ構造を概略的に示す図である。
【００５２】
ＤＭＲＳが１つのＴＴＩにおいて１シンボルのみで構成される場合、ＤＭＲＳは、同一のシンボルにおいてデータ又は制御情報（例えば、ＰＵＳＣＨ、ＰＵＳＣＨ、ＰＤＳＣＨ）と多重されてもよい。図４Ａ及び４Ｂは、ＤＭＲＳ及びデータ／制御情報に対する２つの異なる多重化方法を示す。図４Ａに示す例では、データ／制御情報と多重化されるＤＭＲＳを有する１シンボルベースのＴＴＩは、ＤＭＲＳが無いこれらのシンボルと異なる構造が適用されてもよい。当該１シンボルベースのＴＴＩは、多重化されたＤＭＲＳが無いシンボルより多くの周波数リソースを占有する。図４Ｂの例では、ＤＭＲＳを有する１シンボルベースのＴＴＩは、代替的に可能である。
【００５３】
図４Ｃは、物理チャネル（ＰＵＳＣＨ／ＰＵＣＣＨ／ＰＤＳＣＨ）と異なるシンボルにおいてＤＭＲＳが送信される別の例を示す。図４Ｃに示す様に、ＤＭＲＳは１シンボルベースのＴＴＩの全てのリソースを占有し、データ又は制御情報の前に送信されてもよい。１シンボルベースのＴＴＩにおいて、データ／制御情報とＤＭＲＳとの間で多重化されない。
【００５４】
より一般的には、ＬシンボルベースのＴＴＩにおいて、ＤＭＲＳ数（Ｋ、Ｋ＞＝０）は、例えば、ダウンリンク制御情報（ＤＣＩ：downlink control information）により動的に設定されてもよく、及び／又は、例えば、上位レイヤシグナリングにより半静的に設定されてもよい。そして、Ｌ−Ｋシンボルは、データ／制御情報のために設定される。代替的には、１つのＴＴＩにおいて、ＤＭＲＳは、疎らであり、周波数領域においてデータ／制御情報と多重化することが出来る。いくつかの実装では、異なるＴＴＩ又はＴＴＩグループが、独立した数のＤＭＲＳを有してもよい。例えば、ＴＴＩグループが、連続するＴＴＩであってもよく、異なる周期／又はオフセットによる周期的ＴＴＩであってもよい。また、ＴＴＩグループサイズは、設定されてもよく、例えば、ＤＣＩで動的に指示され、又は上位レイヤ情報により半静的に指示されてもよい。また、独立した数のＤＭＲＳはＤＣＩにより動的に設定されてもよく、及び／又は、上位レイヤシグナリングにより半静的に設定されてもよい。上述した様に、ＤＭＲＳは、いくつかの候補ポジションにおいて設定されてもよい。追加的又は代替的に、新たにトリガされるＤＭＲＳは、設定されたパターンと異なるパターンを有してもよい。
【００５５】
図５は、本開示の１又は複数の実施形態にかかる基地局による通信のための方法５００を概略的に示す図である。図５の方法５００は、基地局の観点からのアップリンクＤＭＲＳ送信のプロセスを記載している。図５に示すように、ステップＳ５１０において、基地局は、アップリンクサブフレームのアップリンクＴＴＩにおいて、アップリンクＤＭＲＳをユーザ装置から受信する。アップリンクサブフレームは、２又は複数のアップリンクＴＴＩをサポートする。
【００５６】
アップリンクＤＭＲＳの送信は、アップリンク物理チャネルの送信から独立して制御される。アップリンクサブフレームによりサポートされる少なくとも１つのアップリンクＴＴＩは、アップリンクＤＭＲＳを有さずにアップリンク制御情報、及び／又はアップリンクデータのみを送信するように構成されてもよい。アップリンクＤＭＲＳは、図１〜４を参照して説明した様に、任意の適切なＤＭＲＳ構造が適用されてもよい。
【００５７】
本開示の１又は複数の実施形態によれば、方法５００は、アップリンクサブフレームのアップリンクＴＴＩにおいてアップリンクＤＭＲＳの送信を可能にするためにアップリンクＤＭＲＳトリガをユーザ装置に送信するステップ（不図示）をさらに含んでもよい。アップリンクＤＭＲＳトリガは、２又は複数のダウンリンクＴＴＩをサポートするダウンリンクサブフレームのダウンリンクＴＴＩにおいて搬送されてもよい。一例として、アップリンクＤＭＲＳトリガは、対応するＤＭＲＳの送信、及び／又は設定を可能にするための１又は複数のビットであってもよい。本開示の１又は複数の実施形態によれば、アップリンクＤＭＲＳトリガは、ユーザ装置から基地局に送信されるアップリンクＤＭＲＳをどのように設定するかに関する情報を含んでもよい。図２〜４を参照して議論したように、いくつかのタイプのＤＭＲＳ設定情報が、トリガに含まれてもよい。一例として、アップリンクＤＭＲＳトリガは、これに限定されるものではないが、以下に示す情報の少なくとも１つを含んでもよい：アップリンクＤＭＲＳが占有するシンボルの数；トリガされるアップリンクＤＭＲＳ時間；アップリンクＤＭＲＳのためのリソース割り当て；及び、アップリンクＴＴＩにおいてアップリンクＤＭＲＳが占有する候補シンボルポジション。
【００５８】
本開示の１又は複数の追加的又は代替的な実施形態によれば、アップリンクＤＭＲＳは、周期的にユーザ装置から受信されてもよい。アップリンクＤＭＲＳは、例えば、上位レイヤシグナリングによって、周期的な方法で送信されるように制御される。
【００５９】
図６は、本開示の１又は複数の実施形態にかかるユーザ装置による通信のための方法を概略的に示す図である。図６の方法６００は、ユーザ装置の観点からアップリンクＤＭＲＳ送信のプロセスを記載する。図６に示す様に、ステップＳ６１０において、ユーザ装置は、２又は複数のアップリンクＴＴＩをサポートするＵＬサブフレームのアップリンクＴＴＩにおいて、アップリンクＤＭＲＳを基地局に送信する。
【００６０】
アップリンクＤＭＲＳの送信は、アップリンク物理チャネルの送信から独立して制御される。アップリンクサブフレームによりサポートされる少なくとも１つのアップリンクＴＴＩは、アップリンクＤＭＲＳを有さずにアップリンク制御情報、及び／又はアップリンクデータのみを送信するように構成されてもよい。ＤＭＲＳは、図１〜４を参照して記載したように任意の適切なＤＭＲＳ構造を採用してもよい。
【００６１】
同様に、本開示の１又は複数の実施形態によれば、方法６００は、アップリンクサブフレームのアップリンクＴＴＩにおいて、アップリンクＤＭＲＳの送信を可能にするためにアップリンクＤＭＲＳトリガを基地局から受信するステップ（不図示）をさらに含んでもよい。アップリンクＤＭＲＳトリガは、２又は複数のダウンリンクＴＴＩをサポートするダウンリンクサブフレームのダウンリンクＴＴＩにおいて搬送されてもよい。一例として、アップリンクＤＭＲＳトリガは、対応するＤＭＲＳの送信、及び／又は設定を可能にするための１又は複数のビットであってもよい。本開示の１又は複数の実施形態によれば、アップリンクＤＭＲＳトリガは、ユーザ装置から基地局に送信されるアップリンクＤＭＲＳをどのように設定するかに関する情報を含んでもよい。図２〜４を参照して説明したように、いくつかのタイプのＤＭＲＳ設定情報は、トリガに含まれてもよい。一例として、トリガは、アップリンクＴＴＩにおいて、アップリンクＤＭＲＳがどの候補シンボルポジションを占有しているかを示してもよい。ユーザ装置は、受信したトリガにおいて示される設定情報に従ってアップリンクＤＭＲＳの送信をトリガしてもよい。
【００６２】
本開示の１又は複数の追加又は代替によれば、アップリンクＤＭＲＳは、周期的にユーザ装置から受信されてもよい。アップリンクＤＭＲＳは、例えば、上位レイヤシグナリングにより周期的な方法で送信されるように制御される。
【００６３】
図７Ａ〜７Ｃは、アップリンクデータスケジューリングプロセス中にアップリンクＤＭＲＳが送信される、本開示の１又は複数の実施形態にかかるアップリンクＤＭＲＳを有する例示的なＵＬ及びＤＬサブフレームを概略的に示す図である。
【００６４】
アップリンクデータスケジューリングプロセスの間に、基地局は、アップリンクデータスケジューリング（つまり、ＵＬグラント）のためにそれをＤＣＩに含めることによりユーザ装置にアップリンクＤＭＲＳを送信してもよい。一例として、アップリンクＤＭＲＳトリガを表すために、１又は複数のビットが既存のＤＣＩフォーマット０及び／又はフォーマット４に追加されてもよい。その場合、ダウンリンクＴＴＩは、アップリンクデータ（ＰＵＳＣＨ）及びトリガされたアップリンクＤＭＲＳの両方をスケジューリングするように構成される。
【００６５】
図７Ａに示す様に、基地局は、ＤＬ  ＴＴＩ＿ｎにおいて、アップリンクデータスケジューリング（つまり、ＵＬグラント）のためのＤＣＩを送信する。応答として、ユーザ装置は、ＵＬ  ＴＴＩ＿ｎ＋ｋにおいて、アップリンクデータ送信（つまり、ＰＵＳＣＨ）を送信する。ここで、ｋは、整数であり、ＦＤＤシステムでは通常４が設定されてもよく、ＴＤＤシステムではアップリンク／ダウンリンク構成に従って予め定義されてもよい。ＤＬ  ＴＴＩ＿ｎにおいて受信されるＤＣＩに含まれるアップリンクＤＭＲＳトリガを検出する場合、ユーザ装置は、ＵＬ  ＴＴＩ＿ｎ＋ｋにおいて、トリガに含まれるＤＭＲＳ設定情報に従ってアップリンクＤＭＲＳを送信してもよい。このように、アップリンクＤＭＲＳ及びＰＵＳＣＨは、同一のＵＬ  ＴＴＩ＿ｎ＋ｋを共有する。図２〜４で説明したように、アップリンクＤＭＲＳ及びアップリンクデータは、周波数領域において多重化されてもよく、及び／又はアップリンクＤＭＲＳは、ＵＬ  ＴＴＩ＿ｎ＋ｋのＭシンボルを占有してもよく、ＵＬ  ＴＴＩ＿ｎ＋ｋの残りのシンボルは、スケジューリングされたアップリンクデータを送信するために使用されてもよい。結果として、ＵＬ  ＴＴＩ＿ｎ＋ｋのＰＵＳＣＨは、（Ｌ−Ｍ）シンボルを占有するように短縮されてもよい。あるいは、ＰＵＳＣＨ及びＤＭＲＳは、図４Ａ又は４Ｂにおいて示したように、周波数領域でずらされてもよい。
【００６６】
チャネル状態が少し変化する場合、基地局は、アップリンクＤＭＲＳの送信をトリガしないことを決定してもよく、チャネル状態推定は、以前のＤＭＲＳに基づいて取得することができる。例えば、ＤＬ  ＴＴＩ＿ｎ＋１、ＤＬ  ＴＴＩ＿ｎ＋２では、ＤＣＩにトリガが含まれない。したがって、ユーザ装置は、ＵＬ  ＤＭＲＳが送信されない、ＵＬ  ＴＴＩ＿ｎ＋ｋ＋１、ＵＬ  ＴＴＩ＿ｎ＋ｋ＋２においてスケジューリングされたアップリンクデータを送信する。
【００６７】
図７Ｂは、基地局がアップリンクデータをスケジューリングし、同一のＤＬ  ＴＴＩにおいてアップリンクＤＭＲＳをトリガする状況を扱うための別の例を示す。この例では、アップリンクＤＭＲＳは、事前に送信されるように構成されてもよい。図７Ｂに示す様に、ＤＬ  ＴＴＩ＿ｎにおいてＤＣＩと共にアップリンクＤＭＲＳトリガを受信する場合、ユーザ装置は、ＵＬ  ＴＴＩ＿ｎ＋ｋ−１においてトリガされたＤＭＲＳを送信できることが予め定義されてもよい。そして、ＵＬ  ＴＴＩ＿ｎ＋ｋにおいて、ユーザ装置は、ＤＣＩによりスケジューリングされたアップリンクデータを送信する。ここで、ｎは、アップリンクデータスケジューリングのためのダウンリンク制御情報が送信されるダウンリンクＴＴＩのＴＴＩ番号を表し、ｋは、スケジューリングのためのＴＴＩの予め定義された数を表す所定の整数である。
【００６８】
図７Ｃは、基地局がアップリンクデータをスケジューリングし、同一のＤＬ  ＴＴＩにおいて、アップリンクＤＭＲＳをトリガする状況を扱うためのさらに別の例を示す。この例では、スケジューリングされたアップリンクデータの送信は、アップリンクＤＭＲＳが送信された後、１ＴＴＩ遅れてもよい。図７Ｃに示すように、ＤＬ  ＴＴＩ＿ｎのＤＣＩと共にアップリンクＤＭＲＳトリガを受信する場合、ユーザ装置は、ＵＬ  ＴＴＩ＿ｎ＋ｋにおいてトリガされたＤＭＲＳを送信できることが予め定義されていてもよい。そして、ＵＬ  ＴＴＩ＿ｎ＋ｋ＋１において、ユーザ装置は、ＤＣＩによりスケジューリングされたアップリンクデータを送信する。ここで、ｎは、アップリンクデータスケジューリングのためのダウンリンク制御情報が送信されるダウンリンクＴＴＩのＴＴＩ番号を表し、ｋは、スケジューリングのためのＴＴＩの予め定義された数を表す所定の整数である。ＤＭＲＳ送信が無いそれらのＴＴＩでは、基地局は、以前に受信したアップリンクＤＭＲＳを参照して受信したＰＵＳＣＨを復調してもよい。
【００６９】
ここで、当業者であれば、図７Ａ〜７Ｃを参照して説明した様に同様の方式が、アップリンクＤＭＲＳ及びアップリンクデータ（例えば、ＰＵＳＣＨ）の送信間の衝突により引き起こされる問題を解決するために、周期的なアップリンクＤＭＲＳが上位レイヤシグナリングにより半静的に設定される、これらの実施形態にも適用されてもよいことは理解すべきである。
【００７０】
いくつかの実施形態では、アップリンクＤＭＲＳトリガは、アップリンクデータスケジューリングのためのＤＣＩと別個に受信されてもよい。つまり、アップリンクＤＭＲＳトリガは、アップリンクスケジューリングのためのＤＣＩが無いＴＴＩにおいて別個に送信されてもよい。
【００７１】
図８は、アップリンクＤＭＲＳトリガがＤＬ  ＴＴＩ＿ｎにおいて別個に送信される、本開示のさらなる実施形態にかかるアップリンクＤＭＲＳを有する例示的なＵＬ及びＤＬサブフレームを概略的に示す図である。図８に示す様に、このような実施形態では、トリガされるアップリンクＤＭＲＳは、スケジューリングされるアップリンクデータと衝突しない。例えば、ＤＬ  ＴＴＩ＿ｎにおいて受信されるトリガに応じて、ユーザ装置は、ＵＬ  ＴＴＩ＿ｎ＋ｋのアップリンクＤＭＲＳを送信してもよい。そして、ＤＬ  ＴＴＩ＿ｎ＋１において受信されるアップリンクデータスケジューリングのためのＤＣＩに応じて、ユーザ装置は、ＵＬ  ＴＴＩ＿ｎ＋ｋ＋１においてスケジューリングされたアップリンクデータを送信してもよい。
【００７２】
実装では、ユーザ装置がＰＵＳＣＨ送信を必要とする場合、スケジュール要求後、基地局が別個のＴＴＩにおいてアップリンクＤＭＲＳトリガを送信することによりアップリンクＤＭＲＳをトリガしてもよい。アップリンクＤＭＲＳトリガには、リソース割り当て領域が含まれてもよい。ユーザ装置は、後続のアップリンクデータ送信を実行するために、アップリンクＤＭＲＳトリガのリソース割り当て領域を参照し得るので、ＤＭＲＳトリガ後、基地局は、アップリンクデータスケジューリングのためのコンパクトＤＣＩを送信することによりＰＵＳＣＨをスケジューリングすることができる。
【００７３】
ダウンリンクデータスケジューリングプロセスの間、アップリンクＤＭＲＳは、アップリンク制御チャネル（例えば、ＰＵＣＣＨ）を復調するために必要であってもよい。したがって、本開示の１又は複数の実施形態によれば、基地局は、アップリンクＤＭＲＳの送信をトリガするように、必要に応じてアップリンクＤＭＲＳをユーザ装置に送信してもよい。追加的に又は代替的に、アップリンクＤＭＲＳは、ＰＵＣＣＨ復調の要件を満たすように、例えば上位レイヤシグナリングにより周期的な方法で送信されるように制御されてもよい。
【００７４】
図９は、本開示の１又は複数の実施形態にかかるアップリンクＤＭＲＳに基づくＰＵＣＣＨチャネルを復調するための例示的な方式を概略的に示す図である。図９に示す様に、アップリンクＤＭＲＳは、ＰＵＣＣＨと独立して送信される。例えば、アップリンクＤＭＲＳ及び（ＣＱＩ／ＰＭＩ／ＲＩを含む）ＰＵＣＣＨの周期及び／又はオフセットが異なっていてもよい。別の例では、アップリンクＤＭＲＳは、例えば、ＤＣＩ情報において、基地局によりトリガされてもよいので、アップリンクＤＭＲＳは、非周期的である。
【００７５】
ＰＵＣＣＨは、アップリンクＤＭＲＳと同様に変換された、又は同一のＺＣシーケンスで変調されるので、ＰＵＣＣＨ情報を復調した後、残りのシーケンスをチャネル推定のための復調参照信号として使用することができ、次の後続ＰＵＣＣＨ及び／又はアップリンクデータへの参照を提供する。つまり、物理アップリンク制御チャネルは、アップリンクＤＭＲＳに基づいて復調されてもよい。そして、１又は複数の後続の物理アップリンク制御チャネルは、前に受信されたアップリンクＤＭＲＳ及び／又は復調された物理アップリンク制御チャネルに基づいて復調されてもよい。
【００７６】
図１０Ａ〜１０Ｃは、アップリンクＤＭＲＳがダウンリンクデータスケジューリングプロセスの間に送信される本開示の１又は複数の実施形態にかかるアップリンクＤＭＲＳを有する例示的なＵＬ及びＤＬサブフレームを概略的に示す図である。
【００７７】
ダウンリンクデータスケジューリングプロセスにおいて、ユーザ装置は、ＡＣＫ／ＮＡＣＫフィードバック情報を、ＰＵＣＣＨにおいて基地局に送信する必要がある。ＡＣＫ／ＮＡＣＫフィードバック情報は、ダウンリンクデータスケジューリングを関連するので、ユーザ装置及び基地局の両方は、どのＵＬ  ＴＴＩにＡＣＫ／ＮＡＣＫフィードバック情報が送信されるかを知っている。基地局がＡＣＫ／ＮＡＣＫフィードバック情報を復調するためにユーザ装置からのアップリンクＤＭＲＳが必要な場合、基地局は、ダウンリンクＤＭＲＳトリガを送信することによりアップリンクＤＭＲＳの送信をトリガしてもよく、又は半静的な無線リソース制御（ＲＲＣ：radio resource control）シグナリングにより周期的なアップリンクＤＭＲＳを設定してもよい。
【００７８】
本開示の１又は複数の実施形態によれば、アップリンクＤＭＲＳの送信は、アップリンクＤＭＲＳトリガによりトリガされてもよい。基地局は、ダウンリンクＴＴＩにおいてダウンリンクデータスケジューリング（つまり、ＤＬスケジュール）のためのＤＣＩと共にアップリンクＤＭＲＳトリガを送信してもよい。例一例として、１又は複数のビットが、アップリンクＤＭＲＳトリガを表すために、ダウンリンクデータスケジューリングのための既存のＤＣＩに追加されてもよい。その場合、ダウンリンクＴＴＩは、ダウンリンクデータ（ＰＤＳＣＨ）及びトリガされたアップリンクＤＭＲＳの両方をスケジューリングするように構成される。
【００７９】
図１０Ａに示すように、基地局は、ＤＬ  ＴＴＩ＿ｎにおいてダウンリンクデータスケジューリング（つまり、ＤＬグラント）のためのＤＣＩを送信する。応答として、ユーザ装置は、ＵＬ  ＴＴＩ＿ｎ＋ｋにおいて（ＰＵＣＣＨにおいて）ダウンリンクデータスケジューリングに対するＡＣＫ／ＮＡＣＫフィードバックを送信する。ここで、ｋは整数であり、ＦＤＤシステムでは４として通常設定されてもよく、ＴＤＤシステムではアップリンク／ダウンリンク構成に従って予め定義されてもよい。ＤＬ  ＴＴＩ＿ｎで受信されたＤＣＩに含まれるアップリンクＤＭＲＳトリガを検出する場合、ユーザ装置は、ＵＬ  ＴＴＩ＿ｎ＋ｋにおいて、トリガに含まれるＤＭＲＳ設定情報に従ってアップリンクＤＭＲＳを送信してもよい。このように、アップリンクＤＭＲＳ及びＡＣＫ／ＮＡＣＫフィードバック情報は、同一のＵＬ  ＴＴＩ＿ｎ＋ｋを共有する。図２〜４で説明した様に、アップリンクＤＭＲＳ及びＡＣＫ／ＮＡＣＫフィードバック情報は、周波数領域で多重化されてもよく、及び／又はアップリンクＤＭＲＳは、ＵＬ  ＴＴＩ＿ｎ＋ｋのＭシンボルを占有し、ＵＬ  ＴＴＩ＿ｎ＋ｋの残りのシンボルは、ＡＣＫ／ＮＡＣＫフィードバック情報を送信するために使用される。結果として、ＵＬ  ＴＴＩ＿ｎ＋ｋにおいてＰＵＣＣＨは、（Ｌ−Ｍ）シンボルを占有するように短縮されてもよい。あるいは、ＰＵＣＣＨ及びＤＭＲＳは、図４Ａ又は４Ｂに示すように、周波数領域でずらされてもよい。
【００８０】
チャネル状態を推定する必要がない場合、基地局は、アップリンクＤＭＲＳの送信をトリガしないことを決定してもよい。例えば、ＤＬ  ＴＴＩ＿ｎ＋１、ＤＬ  ＴＴＩ＿ｎ＋２において、トリガは、ＤＣＩに含まれない。したがって、ユーザ装置は、ＵＬ  ＤＭＲＳが送信されない、ＵＬ  ＴＴＩ＿ｎ＋ｋ＋１、ＵＬ  ＴＴＩ＿ｎ＋ｋ＋２においてスケジューリングされたＡＣＫ／ＮＡＣＫフィードバック情報を送信する。ＤＭＲＳ送信がないこれらのＴＴＩでは、基地局は、以前に受信されたアップリンクＤＭＲＳを参照して、受信されたＡＣＫ／ＮＡＣＫフィードバック情報を復調してもよい。
【００８１】
図１０Ｂは、基地局がダウンリンクデータをスケジューリングし、同一ＤＬ  ＴＴＩにおいてアップリンクＤＭＲＳをトリガする状況を扱うための別の例を示す。この例では、アップリンクＤＭＲＳが事前に送信されるように構成してもよい。図１０Ｂに示すように、ＤＬ  ＴＴＩ＿ｎにおいてダウンリンクスケジューリングのためのＤＣＩと共にアップリンクＤＭＲＳトリガを受信する場合、ユーザ装置は、ＵＬ  ＴＴＩ＿ｎ＋ｋ−１において、トリガされたＤＭＲＳを送信できることが予め定義されてもよい。そして、ＵＬ  ＴＴＩ＿ｎ＋ｋにおいて、ユーザ装置は、ダウンリンクデータスケジューリングに対するＡＣＫ／ＮＡＣＫフィードバック情報を送信する。ここで、ｎは、ダウンリンクデータスケジューリングのためのダウンリンク制御情報が送信されるダウンリンクＴＴＩのＴＴＩ番号を表し、ｋは、スケジューリングのためのＴＴＩの予め定義された数を表す所定の整数である。
【００８２】
図１０Ｃは、基地局がダウンリンクデータをスケジューリングし、同一のＤＬ  ＴＴＩにおいてアップリンクＤＭＲＳをトリガする状況を扱うためのさらに別の例を示す。この例では、ダウンリンクデータスケジューリングに対する対応するＡＣＫ／ＮＡＣＫフィードバック情報の送信は、アップリンクＤＭＲＳが送信された後、１ＴＴＩ遅れてもよい。図１０Ｃに示す様に、ＤＬ  ＴＴＩ＿ｎにおいて、ダウンリンクデータと共に、アップリンクＤＭＲＳを受信する場合、ユーザ装置は、ＵＬ  ＴＴＩ＿ｎ＋ｋにおいてトリガされたＤＭＲＳをまず送信出来ることが予め定義されてもよい。そして、ＵＬ  ＴＴＩ＿ｎ＋ｋ＋１において、ユーザ装置は、ダウンリンクデータに対するＡＣＫ／ＮＡＣＫフィードバック情報を送信する。ここで、ｎは、ダウンリンクデータスケジューリングのためのダウンリンク制御情報が送信されるダウンリンクＴＴＩのＴＴＩ番号を表し、ｋはスケジューリングのためのＴＴＩの予め定義された数を表す所定の整数である。
【００８３】
ここで、アップリンクＤＭＲＳ及びＡＣＫ／ＮＡＣＫフィードバック情報（つまり、ＰＵＣＣＨ）の送信間の衝突により引き起こされる問題を解決するために、図１０Ａ〜１０Ｃを参照して説明したのと同様の方式が、周期的なアップリンクＤＭＲＳが上位レイヤシグナリングにより半静的に設定されるこれらの実施形態に適用されてもよいことは、当業者であれば、理解すべきである。
【００８４】
本開示の他の実施形態によれば、アップリンクＤＭＲＳトリガは、ダウンリンクデータスケジューリングのためのＤＣＩにおいて搬送されなくてもよい。基地局は、アップリンクＤＭＲＳトリガを送信するために、別個のＤＬ  ＴＴＩを使用してもよい。このような実施形態では、トリガされたアップリンクＤＭＲＳは、ダウンリンクデータスケジューリングに対するＡＣＫ／ＮＡＣＫフィードバック情報と衝突しないかもしれない。例えば、ＤＬ  ＴＴＩ＿ｎで受信されたトリガに応答して、ユーザ装置は、ＵＬ  ＴＴＩ＿ｎ＋ｋにおいてアップリンクＤＭＲＳを送信してもよい。そして、ＤＬ  ＴＴＩ＿ｎ＋１で受信されたダウンリングデータに応答して、ユーザ装置は、ＵＬ  ＴＴＩ＿ｎ＋ｋ＋１においてスケジューリングされたアップリンクデータを送信してもよい。
【００８５】
図１１は、ダウンリンクの場合の本開示のさらなる１又は複数の実施形態にかかる基地局による通信のための方法１１００を概略的に示す図である。図１１の方法１１００は、基地局の観点からのダウンリンクＤＭＲＳ送信のプロセスを記載する。図１１に示す様に、ステップＳ１１１０において、基地局は、ダウンリンクサブフレームのダウンリンクＴＴＩにおいてダウンリンクＤＭＲＳをユーザ装置に送信する。ダウンリンクサブフレームは、２又は複数のダウンリンクＴＴＩをサポートする。
【００８６】
図１２は、本開示のさらなる１又は複数の実施形態にかかるユーザ装置による通信のための方法を概略的に示す図である。図１２の方法１２００は、ユーザ装置の観点からのダウンリンクＤＭＲＳ送信のプロセスを記載する。図１２に示す様に、ステップＳ１２１０において、ユーザ装置は、２又は複数のアップリンク送信時間間隔（ＴＴＩ）をサポートするアップリンクサブフレームのアップリンクＴＴＩにおいてアップリンク復調参照信号（ＤＭＲＳ）を基地局から受信する。
【００８７】
ダウンリンクＤＭＲＳの送信は、ダウンリンク物理チャネル（例えば、ＰＤＳＣＨ等）の送信から独立して制御される。このように、ダウンリンクサブフレームによりサポートされるいくつかのダウンリンクＴＴＩは、ダウンリンクＤＭＲＳを有さずにダウンリンク制御情報、及び／又はダウンリンクデータのみを送信するように構成され得ることが可能となる。ダウンリンクＤＭＲＳは、図１〜４を参照して説明した様に、任意の適切なＤＭＲＳ構造を採用してもよい。
【００８８】
本開示の１又は複数の実施形態によれば、ダウンリンクＤＭＲＳの送信を可能にするためのダウンリンクＤＭＲＳトリガは、基地局からユーザ装置に送信されてもよい。一例として、ダウンリンクＤＭＲＳトリガは、対応するＤＭＲＳの送信及び／又は設定を可能にするための１又は複数のビットであってもよい。図２〜４を参照して説明した様に、いくつかのタイプのＤＭＲＳ設定情報は、トリガに含まれてもよい。一例として、ダウンリンクＤＭＲＳトリガは、これに限定されないが、少なくとも１つの次の項目を示す情報を含んでもよい：ダウンリンクＤＭＲＳが占有するシンボル数；トリガされたダウンリングＤＭＲＳの時間；ダウンリンクＤＭＲＳのリソース割り当て；及びダウンリンクＤＭＲＳがダウンリンクＴＴＩにおいて占有する候補シンボルポジション。
【００８９】
図１３Ａ〜１３Ｂは、ダウンリンクＤＭＲＳがダウンリンクＤＭＲＳトリガにより可能になる本開示のさらなる１又は複数の実施形態にかかるダウンリンクＤＭＲＳを有する例示的なＵＬ及びＤＬサブフレームを概略的に示す図である。
【００９０】
本開示の１又は複数の実施形態によれば、ダウンリンクＤＭＲＳの送信を可能にするためのダウンリンクＤＭＲＳトリガは、同一のダウンリンクＴＴＩにおいて、ダウンリンクデータスケジューリングのためのＤＣＩと共に送信されてもよい。図１３Ａに示すように、ＤＬ  ＴＴＩ＿ｎにおいて、ユーザ装置は、ダウンリンクデータスケジューリングのためのＤＣＩに、ダウンリンクＤＭＲＳを含むことによりユーザ装置にダウンリンクＤＭＲＳを送信してもよい。いくつかの実装では、ダウンリンクＤＭＲＳの少なくとも一部は、ダウンリンクサブフレームのダウンリンクＴＴＩにおいて、ダウンリンクデータとスパース多重化（sparse-multiplexed）されてもよい。追加的に又は代替的に、ダウンリンクＤＭＲＳは、ダウンリンクＴＴＩの１又は複数のシンボルを占有してもよく、残りのシンボルは、ダウンリンクデータ送信のために使用されてもよい。ユーザ装置は、以前に受信したダウンリンクＤＭＲＳに基づいて、ダウンリンクＴＴＩ＿ｎ＋１で送信されたダウンリンクデータを復調し得るので、次のダウンリンクＴＴＩ＿ｎ＋１において、基地局は、ダウンリンクＤＭＲＳの送信をトリガしないことを決定してもよい。
【００９１】
追加的又は代替的な実施形態によれば、ダウンリンクＤＭＲＳの送信を可能にするためのダウンリンクＤＭＲＳトリガは、ダウンリンクデータスケジューリングのためのＤＣＩとは別個に送信されてもよい。図１３Ｂに示す様に、ダウンリンクＴＴＩ＿ｎにおいて、ダウンリンクＤＭＲＳ設定情報をユーザ装置に示す（indicate）ために、ＤＭＲＳトリガは、送信される。同一のＴＴＩ＿ｎにおいて、基地局は、ダウンリンクＤＭＲＳトリガに含まれる設定情報に従ってダウンリンクＤＭＲＳを送信する。いくつかの実装によれば、ユーザ装置は後続のダウンリンクデータ送信を実行するためにダウンリンクＤＭＲＳトリガのリソース割り当て領域を参照し得るので、ダウンリンクＤＭＲＳトリガに含まれるリソース割り当ての情報を考慮して、基地局は、ダウンリンクデータスケジューリングのためのコンパクトＤＣＩを送信することにより、少なくとも１つの後続のＴＴＩにおいてＰＤＳＣＨをスケジューリングしてもよい。
【００９２】
物理ダウンリンクデータチャネル（例えば、ＰＤＳＣＨ）をスケジューリングすることとは独立してダウンリンクＤＭＲＳを通信するために、本開示の１又は複数の追加的な又は代替的な実施形態によれば、ダウンリンクＤＭＲＳは、周期的に基地局からユーザ装置に送信されてもよい。ダウンリンクＤＭＲＳは、例えば、上位レイヤシグナリングにより周期的な方法で送信されるように制御されてもよい。
【００９３】
図１４は、本開示のさらなる１又は複数の実施形態にかかる基地局を概略的に示すブロック図である。
【００９４】
図１４に示す様に、基地局１４００は、ショートＴＴＩを有するダウンリンク及びアップリンクサブフレーム構造に基づいて１又は複数のユーザ装置と通信するように構成される。基地局１４００は、送信部１４１０と、受信部１４２０とを備える。基地局６００はまた、１又は複数のユーザ装置に信号を送信し、１又は複数のユーザ装置から信号を受信するために使用される１又は複数のアンテナ（図１４に不図示）と選択的に結合され得る適切な無線周波数トランシーバ（図１４に不図示）を備えてもよい。
【００９５】
基地局１４００は、デジタル信号プロセッサ（ＤＳＰ：digital signal processor）、専用デジタルロジック等を含み得る、他のデジタルハードウェアと同様に、１又は複数のマイクロプロセッサ又はマイクロコントローラを含み得る、プロセッサ１４１を備える。プロセッサ１４１は、リードオンリメモリ（ＲＯＭ：read-only memory）、ランダムアクセスメモリ、キャッシュメモリ、フラッシュメモリデバイス、光ストレージデバイス等の１又は複数のタイプのメモリを含み得るメモリ（図１４に不図示）に格納されたプログラムコードを実行するように構成されてもよい。メモリに格納されたプログラムコードは、１又は複数の電気通信及び／又はデータ通信プロトコルを実行するためのプログラム命令、及びいくつかの実施形態において本明細書で説明した、１又は複数の技術を実行するための命令を含む。いくつかの実装では、プロセッサ１４１は、送信部１４１０及び受信部１４２０に、本開示の１又は複数の実施形態にかかる、対応する機能を実行させるために使用されてもよい。
【００９６】
本開示の一態様の実施形態によれば、受信部１４２０は、２又は複数のアップリンクＴＴＩをサポートするアップリンクサブフレームのアップリンクＴＴＩにおいて、アップリンクＤＭＲＳをユーザ装置から受信するように構成される。アップリンクサブフレームによりサポートされる少なくとも１つのアップリンクＴＴＩは、アップリンクＤＭＲＳを有さずにアップリンク制御情報、及び／又はアップリンクデータのみを送信するように構成される。
【００９７】
本開示のこの態様の１又は複数の実施形態によれば、送信部１５１０は、アップリンクサブフレームのアップリンクＴＴＩにおいてアップリンクＤＭＲＳの送信を可能にするためのアップリンクＤＭＲＳトリガをユーザ装置に送信するように構成されてもよい。アップリンクＤＭＲＳトリガは、２又は複数のダウンリンクＴＴＩをサポートするダウンリンクサブフレームのダウンリンクＴＴＩにおいて搬送されてもよい。いくつかの実施形態では、アップリンクＤＭＲＳトリガは、少なくとも１つの次の項目を示す情報を含んでもよい：アップリンクＤＭＲＳが占有するシンボル数；トリガされたアップリンクＤＭＲＳの時間；アップリンクＤＭＲＳのためのリソース割り当て；及び、アップリンクＤＭＲＳがアップリンクＴＴＩにおいて占有する候補シンボルポジション。
【００９８】
本開示のこの態様の１又は複数の実施形態によれば、アップリンクＤＭＲＳトリガは、アップリンクデータスケジューリングのためのダウンリンク制御情報に含まれてもよい。あるいは、アップリンクＤＭＲＳトリガは、アップリンクデータスケジューリングのためのダウンリンク制御情報とは別個に受信されてもよい。
【００９９】
本開示のこの態様の１又は複数の実施形態によれば、アップリンクＤＭＲＳは、ユーザ装置から周期的に受信されてもよい。
【０１００】
本開示のこの態様のいくつかの実施形態では、受信部１４２０は、アップリンクＤＭＲＳが受信されるアップリンクＴＴＩ  ｎ＋ｋにおいてスケジューリングされたアップリンクデータを受信するようにさらに構成されてもよい；もしくは、アップリンクＤＭＲＳが受信されるアップリンクＴＴＩ  ｎ＋ｋ−１の直後のアップリンクＴＴＩ  ｎ＋ｋにおいてスケジューリングされたアップリンクデータを受信するようにさらに構成されてもよい；もしくは、アップリンクＤＭＲＳが受信されるアップリンクＴＴＩ  ｎ＋ｋの直後のアップリンクＴＴＩ  ｎ＋ｋ＋１においてスケジューリングされたアップリンクデータを受信するようにさらに構成されてもよい。ここで、ｎは、アップリンクデータスケジューリングのためのダウンリンク制御情報が送信されるダウンリンクＴＴＩのＴＴＩ番号を表し、ｋは、アップリンクスケジューリングのためのＴＴＩの予め定義された数を表す。
【０１０１】
本開示のこの態様の１又は複数の実施形態によれば、物理アップリンク制御チャネルは、アップリンクＤＭＲＳに基づいて復調されてもよい。いくつかの実施形態では、さらなる物理アップリンク制御チャネルがアップリンクＤＭＲＳ及び／又は復調された物理アップリンク制御情報に基づいて復調されてもよい。
【０１０２】
本開示のこの態様の１又は複数の実施形態によれば、送信部１４１０は、ダウンリンクデータスケジューリングのためのダウンリンク制御情報に含まれるアップリンクＤＭＲＳトリガを送信するように構成されてもよい。
【０１０３】
本開示のこの態様の１又は複数の実施形態によれば、受信部１４２０は、アップリンクＤＭＲＳが受信されるアップリンクＴＴＩ  ｎ＋ｋにおいてダウンリンクデータスケジューリングに対する肯定応答（ＡＣＫ：acknowledgement）／非肯定応答（ＮＡＣＫ：non-acknowledgement）フィードバック情報を受信するようにさらに構成されてもよい；もしくは、アップリンクＤＭＲＳが受信されるアップリンクＴＴＩ  ｎ＋ｋ−１の直後のアップリンクＴＴＩ  ｎ＋ｋにおいてダウンリンクデータスケジューリングに対するＡＣＫ／ＮＡＣＫフィードバック情報を受信するようにさらに構成されてもよい；もしくは、アップリンクＤＭＲＳが受信されるアップリンクＴＴＩ  ｎ＋ｋの直後のアップリンクＴＴＩ  ｎ＋ｋ＋１においてダウンリンクデータスケジューリングに対するＡＣＫ／ＮＡＣＫフィードバック情報を受信するようにさらに構成されてもよい。ここで、ｎは、ダウンリンクデータスケジューリングのためのダウンリンクデータが送信されるダウンリンクＴＴＩのＴＴＩ番号を表し、ｋは、ダウンリンクスケジューリングのためのＴＴＩの予め定義された数を表す。
【０１０４】
本開示のこの態様の１又は複数の実施形態によれば、送信部１４１０は、ダウンリンクデータスケジューリングのためのダウンリンク制御情報とは別個にアップリンクＤＭＲＳトリガを送信するように構成されてもよい。
【０１０５】
本開示の別の態様の実施形態によれば、送信部１４１０は、２又は複数のダウンリンクＴＴＩをサポートするダウンリンクサブフレームのダウンリンクＴＴＩにおいて、ダウンリンクＤＭＲＳをユーザ装置に送信するように構成されてもよい。ダウンリンクサブフレームによりサポートされる少なくとも１つのダウンリンクＴＴＩは、ダウンリンクＤＭＲＳを有さずにダウンリンク制御情報、及び／又はダウンリンクデータのみを送信するように構成される。
【０１０６】
本開示のこの態様の実施形態によれば、送信部１４１０は、ダウンリンクデータスケジューリングのためのダウンリンク制御情報に含まれるダウンリンクＤＭＲＳの送信を可能にするためのダウンリンクＤＭＲＳトリガを送信するように構成されてもよい。いくつかの実施形態では、送信部１４１０は、ダウンリンクサブフレームのダウンリンクＴＴＩにおいてダウンリンクデータとスパース多重化される（sparse-multiplexed）ダウンリンクＤＭＲＳの少なくとも一部を送信するようにさらに構成されてもよい。
【０１０７】
本開示のこの態様の代替的な実施形態によれば、送信部１４１０は、ダウンリンクデータスケジューリングのためのダウンリンク制御情報とは別個に、ダウンリンクＤＭＲＳの送信を可能にするためのダウンリンクＤＭＲＳトリガを送信するように構成されてもよい。
【０１０８】
本開示のこの態様の実施形態によれば、ダウンリンクＤＭＲＳトリガは、少なくとも１つの次の項目を示す情報を含んでもよい：ダウンリンクＤＭＲＳが占有するシンボル数；トリガされたダウンリンクＤＭＲＳの時間；ダウンリンクＤＭＲＳのためのリソース割り当て；及び、ダウンリンクＤＭＲＳがアップリンクＴＴＩにおいて占有する候補シンボルポジション。
【０１０９】
本開示のこの態様の実施形態によれば、送信部１４１０は、周期的にユーザ装置にダウンリンクＤＭＲＳを送信するように構成されてもよい。
【０１１０】
図１５は、本開示の１又は複数の実施形態にかかるユーザ装置を概略的に示すブロック図である。
【０１１１】
図１５に示す様に、ユーザ装置１５００は、ショートＴＴＩを有するダウンリンク及びアップリンクサブフレーム構造に基づいて基地局と通信するように構成される。ユーザ装置１５００は、受信部１５１０と、送信部１５２０とを備える。ユーザ装置１５００はまた、ＮｏｄｅＢ、ｅＮｏｄｅＢ又はＷｉＦｉ  ＡＰ等の他の無線ノードに信号を送信し、他のノードから信号を受信するために使用される１又は複数のアンテナ（図１５に不図示）と動作可能に結合され得る複数の適切な無線周波数トランシーバ（図１５に不図示）を備えてもよい。
【０１１２】
ユーザ装置１５００は、デジタル信号プロセッサ（ＤＳＰ）、専用デジタルロジック等を含み得る、他のデジタルハードウェアと同様に、１又は複数のマイクロプロセッサ又はマイクロコントローラを含み得るプロセッサ１５１を備える。プロセッサ１５１は、リードオンリメモリ（ＲＯＭ）、ランダムアクセスメモリ、キャッシュメモリ、フラッシュメモリデバイス、光ストレージデバイス等の１又はいくつかのタイプのメモリを含み得るメモリ（図１５に不図示）に格納されたプログラムコードを実行するように構成されてもよい。メモリに格納されたプログラムコードは、１又は複数の電気通信及び／又はデータ通信プロトコルを実行するためのプログラム命令、及びいくつかの実施形態において、本明細書で説明した１又は複数の技術を実行するための命令を含む。いくつかの実装では、プロセッサ１５１は、受信部１５１０及び送信部１５２０に、本開示の１又は複数の実施形態にかかる、対応する機能を実行させるために使用されてもよい。
【０１１３】
本開示の一態様の実施形態によれば、送信部１４２０は、２又は複数のアップリンクＴＴＩをサポートするアップリンクサブフレームのアップリンクＴＴＩにおいて、アップリンクＤＭＲＳを基地局に送信するように構成される。アップリンクサブフレームによりサポートされる少なくとも１つのアップリンクＴＴＩは、アップリンクＤＭＲＳを有さずにアップリンク制御情報、及び／又はアップリンクデータのみを送信するように構成される。
【０１１４】
本開示のこの態様の実施形態によれば、受信部１５００は、アップリンクサブフレームのアップリンクＴＴＩにおいて、アップリンクＤＭＲＳの送信を可能にするためのアップリンクＤＭＲＳトリガを基地局から受信するように構成される。アップリンクＤＭＲＳトリガは、２又は複数のダウンリンクＴＴＩをサポートするダウンリンクサブフレームのダウンリンクＴＴＩにおいて搬送されてもよい。いくつかの実施形態によれば、アップリンクＤＭＲＳトリガは、少なくとも１つの次の項目を示す情報を含んでもよい：アップリンクＤＭＲＳが占有するシンボル数；トリガされたアップリンクＤＭＲＳの時間；アップリンクＤＭＲＳのためのリソース割り当て；及び、アップリンクＤＭＲＳがアップリンクＴＴＩにおいて占有する候補シンボルポジション。
【０１１５】
本開示のこの態様の実施形態によれば、受信部１５１０は、アップリンクデータスケジューリングのためのダウンリンク制御情報に含まれるアップリンクＤＭＲＳトリガを受信するように構成されてもよい。いくつかの代替的な実施形態では、受信部１５１０は、アップリンクデータスケジューリングのためのダウンリンク制御情報とは別個にアップリンクＤＭＲＳトリガを受信するように構成されてもよい。
【０１１６】
本開示のこの態様の実施形態によれば、送信部１５２０は、周期的に基地局にアップリンクＤＭＲＳを送信するように構成されてもよい。
【０１１７】
本開示のこの態様のいくつかの実施形態では、送信部１５２０は、アップリンクＤＭＲＳが受信されるアップリンクＴＴＩ  ｎ＋ｋにおいてスケジューリングされたアップリンクデータを送信するようにさらに構成されてもよい；もしくは、アップリンクＤＭＲＳが受信されるアップリンクＴＴＩ  ｎ＋ｋ−１の直後のアップリンクＴＴＩ  ｎ＋ｋにおいてスケジューリングされたアップリンクデータを送信するようにさらに構成されてもよい；もしくは、アップリンクＤＭＲＳが受信されるアップリンクＴＴＩ  ｎ＋ｋの直後のアップリンクＴＴＩ  ｎ＋ｋ＋１において、スケジューリングされたアップリンクデータを送信するようにさらに構成されてもよい。ここで、ｎはアップリンクスケジューリングのためのダウンリンク制御情報が送信されるダウンリンクＴＴＩのＴＴＩ番号を表し、ｋはアップリンクスケジューリングのためのＴＴＩの予め定義された数を表す。
【０１１８】
本開示のこの態様の１又は複数の実施形態によれば、ユーザ装置１５００は、アップリンクＤＭＲＳに基づいて物理アップリンク制御チャネルを復調するように構成されてもよい。いくつかの実施形態では、ユーザ装置１５００は、アップリンクＤＭＲＳ及び／又は復調されたアップリンク制御チャネルに基づいてさらなる物理アップリンク制御チャネルを復調するように構成されてもよい。
【０１１９】
本開示のこの態様の１又は複数の実施形態によれば、受信部１５１０は、ダウンリンクデータスケジューリングのためのダウンリンク制御情報に含まれるアップリンクＤＭＲＳトリガを受信するように構成されてもよい。
【０１２０】
本開示のこの態様の１又は複数の実施形態によれば、送信部は、アップリンクＤＭＲＳが受信されるアップリンクＴＴＩ  ｎ＋ｋにおいてダウンリンクデータスケジューリングに対するＡＣＫ／ＮＡＣＫフィードバック情報を送信するようにさらに構成されてもよい；もしくは、アップリンクＤＭＲＳが受信されるアップリンクＴＴＩ  ｎ＋ｋ−１の直後のアップリンクＴＴＩ  ｎ＋ｋにおいてダウンリンクデータスケジューリングに対するＡＣＫ／ＮＡＣＫフィードバック情報を送信するようにさらに構成されてもよい；もしくは、アップリンクＤＭＲＳが受信されるアップリンクＴＴＩ  ｎ＋ｋの直後のアップリンクＴＴＩ  ｎ＋ｋ＋１においてダウンリンクデータスケジューリングに対するＡＣＫ／ＮＡＣＫフィードバック情報を送信するようにさらに構成されてもよい。ここで、ｎはダウンリンクデータスケジューリングのためのダウンリンクデータが送信されるダウンリンクＴＴＩのＴＴＩ番号を表し、ｋはダウンリンクスケジューリングのためのＴＴＩの予め定義された数を表す。
【０１２１】
本開示のこの態様の１又は複数の実施形態によれば、受信部１５１０は、ダウンリンクデータスケジューリングのためのダウンリンク制御情報とは別個にアップリンクＤＭＲＳトリガを受信するように構成されてもよい。
【０１２２】
本開示の別の態様の実施形態によれば、受信部１５１０は、２又は複数のダウンリンクＴＴＩをサポートするダウンリンクサブフレームのダウンリンクＴＴＩにおいてダウンリンクＤＭＲＳを基地局から受信するように構成される。ダウンリンクＤＭＲＳが受信されるダウンリンクＴＴＩの後の少なくとも１つのダウンリンクＴＴＩは、いずれのダウンリンクＤＭＲＳを送信しないように構成される。
【０１２３】
本開示のこの態様の実施形態によれば、受信部１５１０は、ダウンリンクデータスケジューリングのためのダウンリンク制御情報に含まれるダウンリンクＤＭＲＳの送信を可能にするためのダウンリンクＤＭＲＳトリガを受信するように構成されてもよい。いくつかの実施形態では、受信部１５１０は、ダウンリンクサブフレームのダウンリンクＴＴＩにおいて、ダウンリンクデータとスパース多重化される（sparse-multiplexed）ダウンリンクＤＭＲＳの少なくとも一部を受信するように構成されてもよい。
【０１２４】
本開示のこの態様の実施形態によれば、受信部１５１０は、ダウンリンクデータスケジューリングのためのダウンリンク制御情報とは別個にダウンリンクＤＭＲＳの送信を可能にするためのダウンリンクＤＭＲＳトリガを受信するように構成されてもよい。
【０１２５】
本開示のこの態様の実施形態によれば、ダウンリンクＤＭＲＳトリガは、少なくとも１つの次の項目を示す情報を含んでもよい：ダウンリンクＤＭＲＳが占有するシンボル数；トリガされたダウンリンクＤＭＲＳの時間；ダウンリンクＤＭＲＳのリソース割り当て；及び、ダウンリンクＤＭＲＳがアップリンクＴＴＩにおいて占有される候補シンボルポジション。
【０１２６】
本開示のこの態様の実施形態によれば、受信部１５１０は、周期的に基地局からダウンリンクＤＭＲＳを受信するように構成されてもよい。
【０１２７】
一般に、様々な例示的な実施形態は、ハードウェア又は専用回路、ソフトウェア、ロジカル、又はそれらの任意の組み合わせで実装されてもよい。本開示はこれに限定するものではないが、例えば、いくつかの態様はハードウェアで実装され、他の態様はコントローラ、マイクロプロセッサ又は他のコンピューティングデバイスにより実行され得るファームウェア又はソフトウェアで実装されてもよい。本開示の例示的な実施形態の様々な態様は、ブロック図及びシグナリング図として図示され説明されているが、本開示に記載されたこれらのブロック、装置、システム、技術又は方法は、限定するものではない例としてハードウェア 、ソフトウェア、ファームウェア、専用回路又はロジカル、汎用ハードウェア又はコントローラ又は他のコンピューティングデバイス、又はそれらのいくつかの組み合わせにより実装できることは十分に理解される。
【０１２８】
そのようなものとして、本開示の例示的な実施形態の少なくともいくつかの態様は、集積回路チップ及びモジュール等の様々なコンポーネントにより実施されてもよいことは理解されたい。当該技術分野でよく知られているように、集積回路の設計は、高度に自動化されたプロセスにより、大部分が高度に自動化されたプロセスである。
【０１２９】
本開示はまた、本明細書に示す方法を実施することができるすべての特徴を含むコンピュータプログラム製品で具体化されてもよく、コンピュータシステムにロードされたときにその方法を実施してもよい。
【０１３０】
本開示は、好ましい実施形態を参照して具体的に図示され、説明された。当業者であれば、本開示の精神及びスコープから逸脱することなく、形態及び詳細における様々な変更を行うことができることを理解すべきである。
【図１Ａ】
2020115677.tif 000003
【図１Ｂ】
2020115677.tif 000004
【図１Ｃ】
2020115677.tif 000005
【図２Ａ】
2020115677.tif 000006
【図２Ｂ】
2020115677.tif 000007
【図３Ａ】
2020115677.tif 000008
【図３Ｂ】
2020115677.tif 000009
【図４Ａ】
2020115677.tif 000010
【図４Ｂ】
2020115677.tif 000011
【図４Ｃ】
2020115677.tif 000012
【図５】
2020115677.tif 000013
【図６】
2020115677.tif 000014
【図７Ａ】
2020115677.tif 000015
【図７Ｂ】
2020115677.tif 000016
【図７Ｃ】
2020115677.tif 000017
【図８】
2020115677.tif 000018
【図９】
2020115677.tif 000019
【図１０Ａ】
2020115677.tif 000020
【図１０Ｂ】
2020115677.tif 000021
【図１０Ｃ】
2020115677.tif 000022
【図１１】
2020115677.tif 000023
【図１２】
2020115677.tif 000024
【図１３Ａ】
2020115677.tif 000025
【図１３Ｂ】
2020115677.tif 000026
【図１４】
2020115677.tif 000027
【図１５】
2020115677.tif 000028